(57)【特許請求の範囲】
【請求項１】
軸筒の先端から選択的に出没する複数のリフィールと、
それぞれの前記リフィールの後端に前端が連結されて前記軸筒の中心軸線方向にスライド自在な複数のノック部材と、
前記リフィールの周囲に巻回されるように配置され、一端が前記軸筒に係止されると共に、他端が前記ノック部材に係止されて、前記ノック部材を復帰させる螺旋バネとを有する多芯筆記具において、
前記ノック部材には、前記螺旋バネを係止させるバネ座部が設けられ、
前記バネ座部は、
前記軸筒の中心軸線側に位置すると共に、前記螺旋バネの前記他端が当接する第１のバネ座面を有する第１のバネ座部と、
前記軸筒の内周面側に位置すると共に、前記螺旋バネの前記他端が当接する第２のバネ座面を有する第２のバネ座部とからなり、
前記第１のバネ座面は、前記第２のバネ座面より前方に位置していることを特徴とする多芯筆記具。
【請求項２】
前記第１のバネ座部は、前記ノック部材に設けられたバネ装填部の後方で前記軸筒の前記中心軸線側に突出する第１及び第２の山部からなり、前記第１の山部と前記第２の山部は並置されていることを特徴とする請求項１記載の多芯筆記具。
【請求項３】
前記螺旋バネには、両端にのみ座巻き部が形成されていることを特徴とする請求項１又は２記載の多芯筆記具。
【発明の詳細な説明】
【技術分野】
【０００１】
本発明は、軸筒の中心軸線方向にスライド自在な複数のノック部材を備えた多芯筆記具に関するものである。
【背景技術】
【０００２】
従来、このような分野の技術として、特開２００５−１１１８７６号公報がある。この公報に記載された多芯筆記具は、任意のノック部材(押子)を押し下げることによって、所望のリフィールの先端を軸筒の先端から突出させることができ、他のノック部材を軽く押し下げることによって、軸筒内にリフィールの先端をバネ力により素早く格納することができる。また、リフィールの復帰を可能にしている螺旋バネは、リフィールの周囲に巻回されるように配置され、螺旋バネの一端は軸筒に係止され、螺旋バネの他端は、ノック部材のバネ座面に当接するように係止されている。
【０００３】
【特許文献１】特開２００５−１１１８７６号公報
【発明の開示】
【発明が解決しようとする課題】
【０００４】
しかしながら、前述した従来の多芯筆記具に設けられているノック部材のバネ座面は、軸筒の内周面側にのみ設けられているので、ノック部材の押し下げ時に、螺旋バネは軸筒の中心軸線側に膨らむように湾曲し易くなる。そして、軸筒を細くすればする程、軸筒内のバネ同士が接近し、これによって、ノック部材の押し下げ時にバネ同士が擦れ合って干渉音が発し易くなるといった問題点がある。
【０００５】
本発明は、軸筒を細くすることによって起こり易くなる螺旋バネ同士の干渉音を発生させ難くした多芯筆記具を提供することを目的とする。
【課題を解決するための手段】
【０００６】
本発明に係る多芯筆記具は、軸筒の先端から選択的に出没する複数のリフィールと、
それぞれのリフィールの後端に前端が連結されて軸筒の中心軸線方向にスライド自在な複数のノック部材と、
リフィールの周囲に巻回されるように配置され、一端が軸筒に係止されると共に、他端がノック部材に係止されて、ノック部材を復帰させる螺旋バネとを有する多芯筆記具において、
ノック部材には、螺旋バネを係止させるバネ座部が設けられ、
バネ座部は、軸筒の中心軸線側に位置すると共に、螺旋バネの他端が当接する第１のバネ座面を有する第１のバネ座部と、軸筒の内周面側に位置すると共に、螺旋バネの他端が当接する第２のバネ座面を有する第２のバネ座部とからなり、
第１のバネ座面は、第２のバネ座面より前方に位置していることを特徴とする。
【０００７】
この多芯筆記具のノック部材において、第１のバネ座部に設けられた第１のバネ座面は、第２のバネ座部に設けられた第２のバネ座面より前方に位置しているので、ノック部材をバネ力に抗して押し下げる時、螺旋バネは第１のバネ座面により押圧され続けるので、螺旋バネを、強制的に外側に膨らむように撓ませることができる。従って、軸筒を細くした場合でも、螺旋バネ同士が擦れ合って起こる干渉音が発生しない。確かに、多芯筆記具の場合、軸筒の径を大きくしたり、リフィールを細くしてバネの径を小さくすることによって、ノック部材の押し下げ時に螺旋バネ同士の擦れ合いを無くすことはできるが、リフィールを細くすると、リフィール内のインクの量を減らすことを余儀なくされてしまう。このように、本願発明は、リフィールの太さを維持しながら軸筒を細くすることが可能であり、螺旋バネ同士の擦れ合いを無くすことで、ノック部材の作動感が向上する。
【０００８】
また、第１のバネ座部は、ノック部材に設けられたバネ装填部の後方で軸筒の中心軸線側に突出する第１及び第２の山部からなり、第１の山部と第２の山部は並置されていると好適である。
このように、第１の山部と第２の山部が並置されているので、第１のバネ座面は、螺旋バネの端部に対して安定して接触する。さらに、第１の山部と第２の山部との間の隙間は、多芯筆記具の組立て時に、軸筒内に装填される他のノック部材を挿通させるための逃げ溝としての機能をも有している。
【０００９】
また、螺旋バネには、両端にのみ座巻き部が形成されていると好適である。
中間に座巻き部がある螺旋バネは、ノック部材の第１のバネ座部によって強制的に外側に撓ませ難く、螺旋バネ同士の擦れ合が起こる虞があるので、中間座巻き部の無い螺旋バネが好適である。
【発明の効果】
【００１０】
本発明によれば、軸筒を細くすることによって起こり易くなる螺旋バネ同士の干渉音を発生させ難くすることができる。
【発明を実施するための最良の形態】
【００１１】
以下、図面を参照しつつ本発明に係る多芯筆記具の好適な実施形態について詳細に説明する。なお、ペン先側を「前方側」として以下説明する。
【００１２】
図１に示されるように、多芯筆記具１は、４色のノック式筆記具である。このノック式多芯筆記具１は、４本のボールペン型のリフィール２と、各リフィール２を収容する樹脂製の軸筒４と、軸筒４の中心軸線Ｌ方向にスライド自在な３本のノック部材６と、軸筒４の中心軸線Ｌ方向にスライド自在なノック部材７に取り付けられた開閉式クリップ８と、軸筒４に固定された滑り止め用のグリップ９とを備えている。
【００１３】
また、軸筒４は、前軸４ａと後軸４ｂとからなり、前軸４ａの後側に設けられた雄ネジ部と後軸４ｂの前側に設けられた雌ネジ部との螺合によって、前軸４ａと後軸４ｂは連結されている。このように、軸筒４を前軸４ａと後軸４ｂとに二分割することで、前軸４ａを外してリフィール２を容易に交換することができ、前軸４ａと後軸４ｂの材質を異ならせることもできる。
【００１４】
さらに、軸筒４の後部には４本のガイド溝１０が形成され、４本のガイド溝１０のうちの３本のガイド溝１０ａに沿って樹脂製のノック部材６が摺動し、各ノック部材６の先端に形成された鏃状のリフィール装填部６ｅは、リフィール２の後端の開口に圧入されている。また、他のガイド溝１０ｂに沿って摺動する樹脂製のノック部材７には、Ｕ字状の板バネ１２を介してクリップ８が連結され、ノック部材７の先端に形成された鏃状のリフィール装填部７ｅは、リフィール２の後端の開口に圧入されている。
【００１５】
さらに、軸筒４内には、ノック部材６，７を復帰させるための４本の螺旋バネ１５が収容され、リフィール２は螺旋バネ１５内に差し込まれている。そして、ノック部材６，７に復帰力を発生させるために、螺旋バネ１５の一端は軸筒４で係止され、螺旋バネ１５の他端はノック部材６，７の先端に係止されている。
【００１６】
このような構成の多芯筆記具１では、ノック部材６及びクリップ８の何れかを指で押し下げることによって、軸筒４の先端開口４ｄから任意のリフィール２の先端を突出させることができる。そして、軸筒４から選択的に突出させた各リフィール２は、他のノック部材６又はクリップ８を指で軽く押し下げることにより、リフィール２の先端を軸筒４内に格納することができる。
【００１７】
図２及び図３に示されるように、扁平で細長い形状を有するノック部材６の外側には、指掛け部６ａが形成され、ノック部材６の内側（中心軸線Ｌ側）には、略中央から後端に向かって延在する細長い隆起部６ｂが形成されている。そして、この隆起部６ｂの直線的な頂部には、断面三角形状の前側突起６ｃ及び後側突起６ｄが並設されている。なお、ノック部材７も同様に、隆起部６ｂ、前側突起６ｃ及び後側突起６ｄが設けられている。
【００１８】
筆記具１を使用するにあたって、ノック部材６を押し下げると、ノック部材６は、軸筒４の中心軸線Ｌ方向に沿って移動する。このとき、ノック部材６の後端部に設けられた係合部（図示しない）と、ガイド溝１０に設けられた図示しない係合受部とが係合し、リフィール２のノック部材６が係止され、筆記可能状態となる（図１参照）。この筆記可能状態の解除は、残りのノック部材６又はクリップ８の何れかを軽く押し下げることにより行われる。
【００１９】
残りのノック部材６又はクリップ８を押し下げると、押し下げられたノック部材６，７の前側突起６ｃが、係止されているノック部材６（換言すれば、突出しているボールペン型リフィール２が取り付けられたノック部材６）の後側突起６ｄを、軸筒４の中心軸線Ｌから外方向へ押しのけるとともに、係止されているノック部材６の係止状態（換言すれば、筆記可能状態）が解除される。すると、螺旋バネ１５の付勢力によりノック部材６は定常状態に素早く復帰する。このとき、ノック部材６は、中心軸線Ｌに対して略平行な状態に戻る。
【００２０】
このように、ノック部材６を押し下げると、前述の図示しないノック部６の後端部と軸筒４とが係合し、ノック部材６は先端の鏃部を屈曲点として外側に少し傾く。そして、ノック部材６が復帰すると、指掛け部６ａが外側に突出して、ノック部材６は、中心軸線Ｌに対して略平行な状態に戻る。すなわち、ノック部材６を押し下げた際に、ノック部材６とリフィール２は、一直線状ではなく、鏃部を屈曲点として外側に「く」の字に傾く関係になる。これは、ノック部材６の指掛け部６ａが内側に引き込まれて前述の図示しないノック部６の後端部と軸筒４とが係合すること、ノック部材６が軸筒４の内周面４ｅに沿って配置されていること、軸筒４の先端開口４ｄが中央に形成されていることに起因している。
【００２１】
ここで、ノック部材６の復帰に利用される螺旋バネ１５は、ノック部材６の押し下げ時に、ノック部材６とリフィール２とが一直線状ではなく、鏃部を屈曲点として外側に「く」の字に傾く関係になり、その影響を受ける。すなわち、螺旋バネ１５は、当該螺旋バネ１５の中心軸に沿って正常に縮むのではなく、鏃部を屈曲点とする部分により外側に歪ながら縮むこととなる。さらに、設計変更によって、軸筒４を細くすればする程、軸筒４内の螺旋バネ１５同士が接近することになる。これらのような場合、ノック部材６の押し下げ時に、螺旋バネ１５を自由な屈曲に任せていると、ノック部材６の押し下げ時に螺旋バネ１５同士が擦れ合って干渉音が発し易くなる。なお、ノック部材７についても同様である。
【００２２】
そこで、図３〜図５に示されるように、螺旋バネ１５を係止させるために、ノック部材６に設けられたバネ座部２０は、軸筒４の中心軸線Ｌ側に位置すると共に、螺旋バネ１５の端部１５ａが当接する第１のバネ座面２１ａを有する第１のバネ座部２１と、軸筒４の内周面４ｅ側に位置すると共に、螺旋バネ１５の端部１５ａが当接する第２のバネ座面２２ａを有する第２のバネ座部２２とからなる。そして、第１のバネ座面２１ａは、第２のバネ座面２２ａより寸法Ｈ(例えば約０．３ｍｍ)だけ前方に位置している
【００２３】
このように、第１のバネ座面２１ａは第２のバネ座面２２ａより前方に位置しているので、図６に示されるように、ノック部材６が定常状態にある時、すなわち螺旋バネ１５が無負荷の時、螺旋バネ１５の端部１５ａは主として第１のバネ座面２１ａに当接する。これに対し、図７に示されるように、ノック部材６をバネ力に抗して押し下げる時、螺旋バネ１５は主として第１のバネ座面２１ａにより押圧され続けるので、螺旋バネ１５を、強制的に外側すなわち軸筒４の内周面４ｅ側に膨らむように撓ませることができる。
【００２４】
従って、軸筒４を細くした場合でも、螺旋バネ１５同士が擦れ合って起こる干渉音が発生し難くなる。確かに、多芯筆記具の場合、軸筒４の径を大きくしたり、リフィール２を細くして螺旋バネ１５の径を小さくすることによって、ノック部材６の押し下げ時に螺旋バネ１５同士の擦れ合いを無くすことはできるが、リフィール２を細くすると、リフィール２内のインクの量を減らすことを余儀なくされてしまう。このように、本願発明に係る多芯筆記具１は、リフィール２の太さやインクの量を維持しながら軸筒４を細くすることが可能であり、螺旋バネ１５同士の擦れ合いを無くすことで、ノック部材６の作動感が向上する。
【００２５】
さらに、図３〜図５に示されるように、第１のバネ座部２１は、ノック部材６に設けられたバネ装填部６Ａの後方で軸筒４の中心軸線Ｌ側に突出する第１及び第２の山部２１Ａ，２１Ｂからなる。そして、第１の山部２１Ａと第２の山部２１Ｂは、螺旋バネ１５の接線方向に並置され、左右一対の第１のバネ座面２１ａは螺旋バネ１５の端部１５ａに対して安定して接触する。
【００２６】
さらに、第１及び第２の山部２１Ａ，２１Ｂは、リブのようにノック部材６の前後方向に延在する。換言すれば、樹脂によって成形された第１及び第２の山部２１Ａ，２１Ｂは、螺旋バネ１５の付勢力が発生する方向に延在するので、螺旋バネ１５の付勢力によって変形し難く、螺旋バネ１５の端部１５ａに対する安定した接触を確実なものにしている。
【００２７】
また、第１の山部２１Ａと第２の山部２１Ｂとの間の隙間Ｓは、多芯筆記具１の組立て時において、軸筒４の後軸４ｂの前端開口から他のノック部材６，７を装填する場合、装填中のノック部材６，７の前側突起６ｃ及び後側突起６ｄを挿通させるための逃げ溝としての機能を有している。
【００２８】
なお、ノック部材７についてもノック部材６と同等なバネ座部２０を有しているので、詳細な説明は省略する。
【００２９】
さらに、図２に示されるように、螺旋バネ１５には、両端にのみ座巻き部１５Ａ，１５Ｂが形成されている。中間に座巻き部がある螺旋バネは、ノック部材６の第１のバネ座部２１によって強制的に外側に撓ませ難く、螺旋バネ１５同士の擦れ合が起こる虞があるので、第１のバネ座面２１ａをもったバネ座部２０が形成されたノック部材６，７が採用された多芯筆記具１にあっては、中間座巻き部の無い螺旋バネ１５が利用される。
【００３０】
本発明は、前述した実施形態に限定されないことは言うまでもなく、多芯筆記具１は、軸筒４内にシャープペンシル型のリフィールが収容されているものであってもよい。
【図面の簡単な説明】
【００３１】
【図１】本発明に係る多芯筆記具の一実施形態を示す断面図である。
【図２】本発明に係る多芯筆記具に適用するノック部材、螺旋バネ及びリフィールを示す斜視図である。
【図３】リフィールを示す側面図である。
【図４】リフィールの要部拡大斜視図である。
【図５】図４のＶ−Ｖ線に沿う断面図である。
【図６】定常状態にあるノック部材と螺旋バネとの関係を示す断面図である。
【図７】ノック状態にあるノック部材と螺旋バネとの関係を示す断面図である。
【符号の説明】
【００３２】
１…多芯筆記具、２…リフィール、４…軸筒、６…ノック部材、６Ａ…バネ装填部、１５…螺旋バネ、１５Ａ，１５Ｂ…座巻き部、２０…バネ座部、２１…第１のバネ座部、２１ａ…第１のバネ座面、２１Ａ…第１の山部、２１Ｂ…第２の山部、２２…第２のバネ座部、２２ａ…第２のバネ座面、Ｌ…中心軸線。
【図１】
0004963456.tif 000002
【図２】
0004963456.tif 000003
【図３】
0004963456.tif 000004
【図４】
0004963456.tif 000005
【図５】
0004963456.tif 000006
【図６】
0004963456.tif 000007
【図７】
0004963456.tif 000008